(57)【要約】【課題】数日間毎に間をあけて定期的に服用する医薬を患者に負担をかけることなく確実に服用日に服用できるために用いる医薬シートを提供する。【解決手段】葉書貼付用医薬シート５０は、葉書Ｐに貼り付けて医薬Ｍを郵送するために用いるシート体１０であり、該シート体１０は、ミシン目１３を境に葉書固着部２０と医薬収容部３０とに分かれ、前記葉書固着部２０の裏面は接着面を有し、葉書Ｐに貼り付け後は剥がすことが不能であり、また、前記医薬収容部３０は、シート体１０の表面から外側に向けて膨出して医薬を収容する膨出部３１と、該膨出部３１を被覆する被覆シール３２とを有し、さらに、前記医薬収容部３０は裏面に接着面を有することなく、前記ミシン目１３に沿って葉書Ｐから取り外しが可能である。【選択図】図１
2008188262.tif 000002
【特許請求の範囲】
【請求項１】
葉書に貼り付けて医薬を郵送するために用いるシート体であり、該シート体は、ミシン目を境に葉書固着部と医薬収容部とに分かれ、前記葉書固着部の裏面は接着面を有し、葉書に貼り付け後は剥がすことが不能であり、また、前記医薬収容部は、シート体の表面から外側に向けて膨出して医薬を収容する膨出部と、該膨出部を被覆する被覆シールとを有し、さらに、前記医薬収容部は裏面に接着面を有することなく、前記ミシン目に沿って葉書から取り外しが可能であることを特徴とする葉書貼付用医薬シート。
【請求項２】
前記医薬収容部に該医薬収容部を取り外すために用いるタブが形成されてなることを特徴とする請求項１に記載の葉書貼付用医薬シート。
【請求項３】
葉書に貼り付けて医薬を郵送するために用いるシート体であり、該シート体は、シート体の表面から外側に向けて膨出して医薬を収容する膨出部と、該膨出部を被覆する被覆シールとを有し、また、シート体の裏面は接着面を有し、膨出部の近傍以外のシート体は葉書に貼り付け後は剥がすことが不能であり、膨出部の近傍は葉書に貼り付け後は剥がすことが可能であることを特徴とする葉書貼付用医薬シート。
【請求項４】
前記膨出部の近傍に該膨出部の近傍を剥がすために用いるタブが形成されてなることを特徴とする請求項３に記載の葉書貼付用医薬シート。
【請求項５】
前記膨出部の近傍にミシン目が形成されてなることを特徴とする請求項３又は請求項４に記載の葉書貼付用医薬シート。
【発明の詳細な説明】
【技術分野】
【０００１】
本発明は、葉書に貼り付けて医薬を郵送するために用いる医薬シートに関し、詳細には、何日か毎に間をあけて定期的に服用する医薬を服用日に確実に服用するために医薬を葉書に貼り付けて郵送するための葉書貼付用医薬シートに関する。
【背景技術】
【０００２】
医薬は、毎日服用するものが大半であるが、中には１週間毎に定期的に服用する医薬のように数日間毎に間をあけて定期的に服用する医薬がある。ゲノム創薬に代表される創薬の進展により医薬は多様化し、この種の医薬の増加も予想される。
【０００３】
医薬の服用は、毎日服用する医薬でさえうっかり忘れてしまうことが多々あり、数日間毎に間をあけて服用する医薬にいたっては、患者が服用日を守って定期的に服用することは難しいという問題があった。そのため、この種の医薬は、医薬シートに服用月日、服用曜日等を明記することにより、患者の服用忘れや重複服用を防止する工夫がなされている。また、他にも医薬シートについての提案があり、例えば、漸増投与される薬の量を、煩わしいチェックなしでも間違わないようにする錠剤用容器（特許文献１参照）や、医薬を常用する人の服用の誤認や飲み忘れを防止する薬の包装体（特許文献２参照）がある。
【０００４】
【特許文献１】実用登録第３０２０９５６号明細書
【特許文献２】特開２００２−１１９５７４号公報
【発明の開示】
【発明が解決しようとする課題】
【０００５】
しかし、多数の医薬を服用する患者にとって、上記の医薬シートに記載の服用日をいちいちチェックして管理するのは煩雑であり、特に、高齢社会下、増加する高齢の患者にとって、医薬シートをいちいちチェックしての医薬の服用は極めて負担であり、服用を忘れたり重複服用の可能性が高くなると考えられる。また、上記の特許文献に記載の提案は、毎日定期的に服用する医薬については有用でも、数日間毎に間をあけて定期的に服用する医薬についての服用忘れや重複服用を回避するための工夫ではない。
【０００６】
本発明は、上記の事情に鑑みなされたものであり、数日間毎に間をあけて定期的に服用する医薬を患者に負担をかけることなく確実に服用日に服用できるために用いる医薬シートを提供することを課題とする。
【課題を解決するための手段】
【０００７】
上記の課題を解決するための請求項１に記載の発明は、葉書に貼り付けて医薬を郵送するために用いるシート体であり、該シート体は、ミシン目を境に葉書固着部と医薬収容部とに分かれ、前記葉書固着部の裏面は接着面を有し、葉書に貼り付け後は剥がすことが不能であり、また、前記医薬収容部は、シート体の表面から外側に向けて膨出して医薬を収容する膨出部と、該膨出部を被覆する被覆シールとを有し、さらに、前記医薬収容部は裏面に接着面を有することなく、前記ミシン目に沿って葉書から取り外しが可能であることを特徴とする葉書貼付用医薬シートを要旨とする。
【０００８】
上記の構成の発明によれば、葉書固着部が葉書から剥がすことが不能で、医薬収容部は葉書から取り外しが可能であるので、郵送中に葉書から脱離することなく医薬を郵送でき、かつ医薬収容部から医薬を取り出すことができる。
【０００９】
また、請求項２に記載の発明は、請求項１に記載の発明において、医薬収容部に該医薬収容部を取り外すために用いるタブを形成してもよい。この構成の発明によれば、タブを引っ張ることにより、葉書からの医薬収容部の取り外しが容易になる。
【００１０】
また、請求項３に記載の発明は、葉書に貼り付けて医薬を郵送するために用いるシート体であり、該シート体は、シート体の表面から外側に向けて膨出して医薬を収容する膨出部と、該膨出部を被覆する被覆シールとを有し、また、シート体の裏面は接着面を有し、膨出部の近傍以外のシート体は葉書に貼り付け後は剥がすことが不能であり、膨出部の近傍は葉書に貼り付け後は剥がすことが可能であることを特徴とする葉書貼付用医薬シートを要旨とする。
【００１１】
上記の構成の発明によれば、シート体を葉書から剥がすことは不能で、膨出部の近傍を葉書から剥がすことは可能であるので、郵送中に葉書から脱離することなく医薬を郵送でき、かつ医薬収容部から医薬を取り出すことができる。
【００１２】
また、請求項４に記載の発明は、請求項３に記載の発明において、膨出部の近傍に該膨出部の近傍を剥がすのために用いるタブを形成してもよい。この構成の発明によれば、タブを引っ張ることにより、葉書から膨出部の近傍を剥がすことが容易になる。
【００１３】
請求項５に記載の発明は、請求項３又は請求項４に記載の発明において、膨出部の近傍にミシン目を形成してもよい。この構成の発明によれば、葉書から剥がした膨出部の近傍をミシン目に沿って葉書から取り外すことができる。
【発明の効果】
【００１４】
請求項１又は請求項３に記載の葉書貼付用医薬シートによれば、１週間毎に定期的に服用する医薬のように、数日間毎に間をあけて定期的に服用する医薬の管理を医療機関が担うことができるので、患者は負担なく服用日に確実に医薬を服用でき、服用忘れや重複服用を回避できる。また、葉書貼付用医薬シートは葉書から脱離することなく医薬を郵送できるので、封書で郵送する場合よりも簡単でかつ安価に医薬の服用忘れや重複服用を回避できる。
【００１５】
また、請求項２、請求項４又は請求項５に記載の葉書貼付用医薬シートによれば、上記の効果に加え、葉書貼付用医薬シートからの医薬の取り出しが容易になる。
【発明を実施するための最良の形態】
【００１６】
次いで、１週間毎に服用する医薬を郵送する場合を例に挙げ、本発明を実施の形態により詳細に説明するが、本発明は以下の実施の形態に限定されるものではない。
【００１７】
〔第１実施形態〕
本実施形態の葉書貼付用医薬シート５０を構成するシート体１０は、図３に示すように、紙製の表面シート１１と裏面シート１２の二層により形成されている。また、図１と図２に示すように、シート体１０には、ミシン目１３が形成され、該ミシン目１３により葉書貼付用医薬シート５０は葉書固着部２０と医薬収容部３０とに分かれている。なお、図１中の××は、記載事項を示す。
【００１８】
図２に示すように、葉書固着部２０の裏面全体は接着面２１を有している。接着面２１の接着力により、葉書Ｐに葉書貼付用医薬シート５０を貼付すると、葉書Ｐから剥がすことができない。ここで、剥がすことができないとは、葉書Ｐからまったく剥がせない場合はもちろん、無理に剥がそうとすると葉書Ｐが破れてしまう場合も包含する。接着面２１の接着力が強いので、郵送中に葉書貼付用医薬シート５０が葉書Ｐから脱離することがない。また、粘着面２１には、隔離シール２２が貼り付けられ、使用前の接着面２１を隔離する。葉書固着部２０には、医薬品の服用日、用法、使用上の注意等の情報が記載されている。
【００１９】
医薬収容部３０は、シート体１０の表面から外側に向けて膨出する膨出部３１が合成樹脂により形成され、医薬Ｍを収容する。また、表面シート１１と裏面シート１２の間に被覆シール３２が形成され、膨出部３１の裏側は被覆シール３２により被覆されている。また、医薬収容部３０には、タブ３３が形成されている。医薬収容部３０とタブ３３には、接着面が形成されない。
【００２０】
次いで、上記のように構成される葉書貼付用医薬シート５０の使用方法について説明する。医療機関は、葉書固着部２０に患者が服用する月日、曜日を記載し、葉書固着部２０の裏面の隔離シール２２を剥がして葉書貼付用医薬シート５０を葉書Ｐの裏面に貼付する。葉書Ｐには、医療機関名、住所、電話番号等の連絡先やその他の情報が記載される。医療機関とは、処方箋に基づき医薬Ｍを調剤する病院、医院、クリニック、調剤薬局等をいう。医療機関は、葉書貼付用医薬シート５０が貼付された葉書Ｐを服用日の前日又は当日に患者に届くように投函・郵送する。
【００２１】
上記の葉書Ｐの送付を受けた患者は、服用日を確認し、服用の際には、葉書貼付用医薬シート５０の医薬収容部３０に形成されたタブ３３を引っ張ることにより、ミシン目１３に沿って医薬収容部２０を葉書Ｐから取り外すことができる。取り外された医薬収容部３０の膨出部３１を指で押せば被覆シール３２が破断し、膨出部３１から医薬Ｍを取り出すことができる。そして、患者は葉書固着部２０の情報に基づき、服用日に確実に服用することができる。
【００２２】
従来、１週間毎に服用する医薬Ｍの管理を患者に委ねていたため、患者にとっては負担であるばかりか、服用を忘れたり、重複服用したりすることが多々あった。しかし、上記の葉書貼付用医薬シート５０を用いれば、このような医薬Ｍの管理を医療機関が担うことができ、医薬Ｍは服用日の前日又は当日に郵送されてくるので、患者は服用を忘れたり、重複服用を回避でき、負担を感じることなく医薬Ｍを確実に服用日に服用できる。また、葉書固着部２０は、葉書Ｐから剥がれることがないので、葉書固着部２０を喪失してしまうことがなく、記載される医薬Ｍの服用月日、服用曜日、用法、使用上の注意等の情報を活用できるばかりか、葉書Ｐを保管することにより薬歴の管理が可能となる。
【００２３】
〔第２実施形態〕
本実施形態の葉書貼付用医薬シート１００を構成するシート体６０は、図６に示すように、第１実施形態の葉書貼付用医薬シート５０と同様に紙製の表面シート６１と裏面シート６２の二層により形成されている。また、図４に示すように、シート体６０には、シート体６０の表面から外側に向けて膨出する膨出部７１が合成樹脂により形成され、医薬Ｍを収容する。また、表面シート６１と裏面シート６２の間に被覆シール７２が形成され、膨出部７１の裏側は被覆シール７２により被覆されている。また、膨出部７１の近傍には、タブ８３とミシン目８４が形成されている。なお、図４中の××は、記載事項を示す。
【００２４】
図５に示すように、シート体６０の裏面は接着面６４、６５を有している。膨出部７１の近傍以外の接着面６４は、葉書Ｐに葉書貼付用医薬シート１００を貼付すると、葉書Ｐから剥がすことができない。ここで、剥がすことができない意味は、第１実施形態に記載と同様である。接着面６４の接着力が強いので、郵送中に葉書貼付用医薬シート１００が葉書Ｐから脱離することがない。また、膨出部７１の近傍の接着面６５の面積は、接着面６４の面積に比べて狭いので、接着力が弱く、膨出部７１の近傍を葉書Ｐから剥がすことができる。また、膨出部７１の近傍は、剥がした後、ミシン目８４に沿って取り外すこともできる。粘着面６４、６５には、隔離シール６６、６７が貼り付けられ、使用前の接着面６４、６５を隔離する。タブ８３には、接着面が形成されない。
【００２５】
シート体６０には、医薬品の服用日、服用曜日、用法、使用上の注意等の情報が記載されている。
【００２６】
また、本実施形態において、ミシン目８４を形成しない構成とすることもできる。この場合、膨出部の近傍は、葉書Ｐから剥がすことはできても取り外すことはできない。
【００２７】
上記のように構成される本実施形態の葉書貼付用医薬シート１００の使用方法は、第１実施形態の葉書貼付用医薬シート５０の場合と同様である。
【００２８】
本発明は、技術的範囲に属する範囲で種々形態を変更できるので、以下に例示する。
（１）シート体の素材は、シート状に形成できれば特に限定されず、合成樹脂等で形成してもよい。
（２）シート体は、１層で形成し、膨出部と被覆シールを形成してもよい。
【図面の簡単な説明】
【００２９】
【図１】第１実施形態の葉書貼付用医薬シートを葉書に貼付した状態を示す図である。
【図２】第１実施形態の葉書貼付用医薬シートの裏面を示す図である。
【図３】第１実施形態の葉書貼付用医薬シートの部分拡大断面図である。
【図４】第２実施形態の葉書貼付用医薬シートを葉書に貼付した状態を示す図である。
【図５】第２実施形態の葉書貼付用医薬シートの裏面を示す図である。
【図６】第２実施形態の葉書貼付用医薬シートの部分拡大断面図である。
【符号の説明】
【００３０】
１０、６０            シート体
１１、６１            表面シート    
１２、６２            裏面シート
１３、８４            ミシン目
２０                  葉書固着部
２１、６４、６５      接着面
３０                  医薬収容部
３１、７１            膨出部
３２、７２            被覆シール
３３、８３            タブ
５０、１００          葉書貼付用医薬シート
【図１】
2008188262.tif 000003
【図２】
2008188262.tif 000004
【図３】
2008188262.tif 000005
【図４】
2008188262.tif 000006
【図５】
2008188262.tif 000007
【図６】
2008188262.tif 000008